(57)【要約】【課題】設置が容易で耐久性に優れるユニットフェンスを提供する。【解決手段】ユニットフェンス１０は、側面に２以上の突起が設けられ、角に配置される角支柱１２と、側面に設けられた突起と、この突起の反対の側面に設けられた他の突起とを含む２以上の突起を備える中間支柱１４と、中空部に突起が嵌め込まれる中空部材３０を裏面に備えるフェンス１６とを備える。中間支柱１４は、直線状に並んだ２枚のフェンス１６，１６の間に配置される。中空部材に突起が装着されることによって、角支柱１２または中間支柱１４とフェンス１６とが交互に連結され、囲いが形成される。角支柱１２は、四角柱の本体を備え、突起は、少なくとも本体の隣り合った２つの側面に設けられている。中間支柱１４は、四角柱の本体を備え、突起は、本体の３つ以上の側面に設けられている。【選択図】図２
0003184017.tif 000002
【実用新案登録請求の範囲】
【請求項１】
側面に２以上の突起が設けられ、角に配置される角支柱と、
中空部に前記突起が嵌め込まれる中空部材を裏面に備えるフェンスと、
を有し、
前記中空部材に前記突起が装着されることによって、前記角支柱と前記フェンスとが交互に連結され、囲いが形成されるユニットフェンス。
【請求項２】
側面に２以上の突起が設けられ、角に配置される角支柱と、
側面に設けられた前記突起と、この突起の反対の側面に設けられた他の前記突起とを含む２以上の前記突起を備える中間支柱と、
中空部に前記突起が嵌め込まれる中空部材を裏面に備えるフェンスと、
を有し、
前記中間支柱は、直線状に並んだ２枚の前記フェンスの間に配置され、
前記中空部材に前記突起が装着されることによって、前記角支柱または前記中間支柱と前記フェンスとが交互に連結され、囲いが形成されるユニットフェンス。
【請求項３】
請求項２において、
前記中間支柱は、四角柱の本体を備え、
前記突起は、前記本体の３つ以上の側面に設けられるユニットフェンス。
【請求項４】
請求項１から３のいずれかにおいて、
前記角支柱は、四角柱の本体を備え、
前記突起は、少なくとも前記本体の隣り合った２つの側面に設けられるユニットフェンス。
【請求項５】
請求項１から４のいずれかにおいて、
前記中空部材に前記突起が装着された状態で、前記中空部材が前記突起にネジ止めされるユニットフェンス。
【請求項６】
請求項１から５のいずれかにおいて、
前記フェンスは、上向きに開口した溝をさらに備えるユニットフェンス。
【考案の詳細な説明】
【技術分野】
【０００１】
本考案は、花壇やマルチングに用いられ、簡易に組み立てられるユニットフェンスに関するものである。
【背景技術】
【０００２】
花壇の周囲にフェンスを設けることが行われている。従来の花壇用フェンスは、下部を地中に埋めて設置していた。下部を地中に埋めただけの花壇用フェンスは風雨に弱く、倒れたり飛ばされたりするおそれがあった。
【考案の概要】
【考案が解決しようとする課題】
【０００３】
本考案はこのような事情に鑑みてなされたものであり、組み立てが容易で耐久性に優れるユニットフェンスを提供することを目的とする。
【課題を解決するための手段】
【０００４】
本考案の第一態様のユニットフェンスは、側面に２以上の突起が設けられ、角に配置される角支柱と、中空部に突起が嵌め込まれる中空部材を裏面に備えるフェンスと、を有し、中空部材に突起が装着されることによって、角支柱とフェンスとが交互に連結され、囲いが形成される。
【０００５】
本考案の第二態様のユニットフェンスは、側面に２以上の突起が設けられ、角に配置される角支柱と、側面に設けられた突起と、この突起の反対の側面に設けられた他の突起とを含む２以上の突起を備える中間支柱と、中空部に突起が嵌め込まれる中空部材を裏面に備えるフェンスと、を有し、中間支柱は、直線状に並んだ２枚のフェンスの間に配置され、中空部材に突起が装着されることによって、角支柱または中間支柱とフェンスとが交互に連結され、囲いが形成される。
【０００６】
本考案の第二態様のユニットフェンスにおいて、中間支柱は、四角柱の本体を備え、突起は、本体の３つ以上の側面に設けられていてもよい。本考案のいずれかの態様のユニットフェンスにおいて、角支柱は、四角柱の本体を備え、突起は、少なくとも本体の隣り合った２つの側面に設けられていてもよい。本考案のいずれかの態様のユニットフェンスにおいて、中空部材に突起が装着された状態で、中空部材が突起にネジ止めされることが好ましい。本考案のいずれかの態様のユニットフェンスにおいて、フェンスは、上向きに開口した溝をさらに備えていてもよい。
【考案の効果】
【０００７】
本考案によれば、設置が容易で耐久性に優れるユニットフェンスが得られる。
【図面の簡単な説明】
【０００８】
【図１】本考案の実施形態に係るユニットフェンスの正面図である。
【図２】本考案の実施形態に係るユニットフェンスの平面図である。
【図３】本考案の実施形態に係る角支柱の平面図である。
【図４】本考案の実施形態に係る角支柱の左側面図である。
【図５】本考案の実施形態に係る中間支柱の平面図である。
【図６】本考案の実施形態に係る中間支柱の左側面図である。
【図７】本考案の実施形態に係るフェンスの左側面図である。
【図８】本考案の実施形態に係るユニットフェンスの応用例を示す図で、（ａ）は平面図、（ｂ）は組み立て途中の断面図である。
【考案を実施するための形態】
【０００９】
以下、本考案のユニットフェンスについて、図面を参照しながら実施形態に基づいて説明する。図面は、ユニットフェンス、ユニットフェンスを構成する部材、およびユニットフェンスの周辺部材を模式的に表したものであり、これらの実物の寸法および寸法比は、図面上の寸法および寸法比と必ずしも一致していない。また、重複説明は適宜省略し、同一部材には同一符号を付与することがある。
【００１０】
図１は、本考案の第一実施形態に係るユニットフェンス１０の正面図である。図２は、ユニットフェンス１０の平面図である。ユニットフェンス１０は、角（かど）支柱１２と、中間支柱１４と、フェンス１６とを備える。ユニットフェンス１０は、図２に示すように、角支柱１２または中間支柱１４と、フェンス１６とが交互に連結され、囲いが形成される。角支柱１２は囲いの角部に設置され、中間支柱１４は、直線状に並んだ２枚のフェンス１６，１６の間に配置される。
【００１１】
図３は、図１に示すユニットフェンス１０の右側に配置された角支柱１２の平面図である。図４は、この角支柱１２の左側面図である。なお、ユニットフェンス１０に用いられる４本の角支柱１２は同じものであり、配置される向きだけが異なる。角支柱１２は、本体１８と、突起２０とを備える。本体１８は、四角柱形状を有する。突起２０は、角支柱１２の上から見るとロ字状の金属製部材であり、本体１８の隣り合った２つの側面１８a，１８ｂにネジ止めされている。
【００１２】
本体１８にネジ止めされる突起２０の側面２０ａと対向する側面２０ｃには、側面２０ａがネジ止めしやすいように、ドライバー等のネジ止め工具が入る穴Ｇが設けられている。また、ユニットフェンス１０の内側となる突起２０の側面２０ｂには、ネジ溝が形成されたネジ穴Ｈが設けられている。ネジ穴Ｈの機能については後述する。なお、突起２０が本体１８の他の側面１８ｃ，１８ｄにさらに設けられていてもよいし、１つの側面に２以上の突起２０が設けられていてもよい。
【００１３】
図５は、中間支柱１４の平面図である。図６は、中間支柱１４の左側面図である。中間支柱１４は、本体２２と、突起２０とを備える。本体２２は、四角柱形状を有する。突起２０は、本体２２の３つの側面２２a，２２ｂ，２２ｃに設けられる。ただし、側面２２ｂに設けられる突起２０のみ、中間支柱１４の側面から見でロ字状となるように本体２２に取り付けられている。
【００１４】
このように、中間支柱１４は、少なくとも側面２２ａに設けられた突起２０と、この突起２０の反対の側面２２ｃに設けられた他の突起２０を含む２以上の突起２０とを備える。このため、中間支柱１４を介して、２枚のフェンス１６，１６が直線状に並ぶ。側面２２ｂに設けられた突起２０の機能については後述する。なお、突起２０が本体２２の他の側面２２ｄにさらに設けられていてもよいし、１つの側面に２以上の突起２０が設けられていてもよい。
【００１５】
図７は、図１に示すユニットフェンス１０の前面に配置されたフェンス１６の左側面図である。フェンス１６は、図１および図７に示すように、基台２４と、第一縦板２６と、第二縦板２８と、中空部材３０とを備える。基台２４は断面コ字状の樹脂製部材であり、フェンス１６を倒れにくくしている。細長い板状の第一縦板２６および五角形の板状の第二縦板２８は、フェンス１６の本体部分であると共に、装飾部分でもある。第一縦板２６および第二縦板２８は基台２４の凹部に嵌められ、囲いが形成されたときに内側となるフェンス１６の面、すなわちフェンス１６の裏面１６ｂの方からネジ止めされる。
【００１６】
中空部材３０は、フェンス１６の裏面１６ｂに設けられている。中空部材３０は、フェンス１６の側面から見るとロ字状の金属製部材で、中空部３０ａを備える。中空部材３０は、フェンス１６の表（おもて）面１６ａからネジ止めされている。角支柱１２または中間支柱１４の突起２０に、中空部３０ａが嵌め込まれることによって、中空部材３０に突起２０が装着される。そして、中空部材３０に突起２０が装着された状態で、中空部材３０が突起２０にネジ止めされる。このため、風雨等の外部からの影響によって囲いが分解しにくくなり、耐久性に優れる。
【００１７】
また、図２に示すように、対向する中間支柱１４，１４は、中空部材３０を介して連結されている。連結の仕組みは以下のとおりである。中間支柱１４の本体１８の側面１８ｂに設けられる突起２０の上面には、ネジ溝が形成されたネジ穴Ｈが設けられている。そして、中空部材３０の上面にもネジ溝が形成されたネジ穴が設けられており、中空部材３０に突起２０が装着された状態で、中空部材３０が突起２０にネジ止めされる。このように、対向する中間支柱１４，１４が中空部材３０で補強されているため、囲いの強度が増す。
【００１８】
ユニットフェンス１０は、１本の角支柱１２または中間支柱１４を起点として、一周するように角支柱１２、中間支柱１４、またはフェンス１６を連結して組み立ててもよいし、角支柱１２、中間支柱１４、またはフェンス１６をいくつか連結したユニットフェンス１０の構成部材同士を、連結して組み立ててもよい。このように、ユニットフェンス１０は設置が容易である。フェンス１６は、上向きに開口した溝３２をさらに備える。具体的には、フェンス１６の裏面で中空部材３０の上に、棒状部材３４が設けられており、棒状部材３４の上面に溝３２が形成されている。棒状部材３４は断面Ｈ字状の形状を有する樹脂製部材であり、フェンス１６の表面１６ａからネジ止めされている。
【００１９】
図８は、ユニットフェンス１０の応用例を示す図で、（ａ）は平面図、（ｂ）は組み立て途中を模式的に示す断面図である。本応用例では、対向するフェンス１６，１６同士の溝３２，３２に、細長い弾性体３６を複数嵌め込み、これらの弾性体３６の頂点同士を長板３８で補強して、網やプラスチック等のシート４０で弾性体３６を覆う。そして、溝３２の上にあるシート４０の端を固定棒４２で押さえるようにして、固定棒４２をシート４０と共に溝３２に嵌め込む。こうして、ユニットフェンス１０を用いたマルチングが簡易に得られる。
【００２０】
以上、実施形態に基づいて本考案のユニットフェンスを説明した。本考案のユニットフェンスは上記実施形態に限定されない。例えば、中間支柱１４を設けずに、４本の角支柱１２と４枚のフェンス１６で囲いを形成してもよい。また、幅が異なる数種類のフェンスを準備しておくことによって、様々な地形に応じた囲いを作ることができる。また、角支柱や中間支柱等のユニットフェンスを構成する部材の形状、大きさ、数量等は、上記実施形態に限定されない。
【符号の説明】
【００２１】
１０…ユニットフェンス、  １２…角支柱、  １４…中間支柱、  １６…フェンス、
１８…角支柱の本体、  １８a，１８ｂ，１８ｃ，１８ｄ…角支柱の本体の側面、
２０…突起、  ２０a，２０ｂ，２０ｃ…突起の側面、  ２２…中間支柱の本体、
２２a，２２ｂ，２２ｃ，２２ｄ…中間支柱の本体の側面、  ２４…基台、
２６…第一縦板、  ２８…第二縦板、  ３０…中空部材、  ３２…溝、
３４…棒状部材、  ３６…弾性体、  ３８…長板、  ４０…シート、  ４２…固定棒
【図１】
0003184017.tif 000003
【図２】
0003184017.tif 000004
【図３】
0003184017.tif 000005
【図４】
0003184017.tif 000006
【図５】
0003184017.tif 000007
【図６】
0003184017.tif 000008
【図７】
0003184017.tif 000009
【図８】
0003184017.tif 000010